(57)【要約】【課題】早期に利用者が希望する配色がされた画像を提供する。【解決手段】配色が異なる複数の候補画像を生成し、該候補画像を利用者に指定させて画像の配色を決定する配色支援装置において、前記候補画像の色要素の一部である維持色要素について、前記利用者に決定させた色情報である維持色要素情報を記憶する維持色要素情報記憶部と、前記候補画像のうち、一部の画像を前記利用者に選択させる画像選択部と、前記画像選択部で選択された一部の画像の色情報を組み合わせ、該組み合わせた色情報の新たな前記候補画像を生成する交差画像生成部と、前記画像選択部で選択された一部の画像の色情報を変更し、該変更した色情報の新たな前記候補画像を生成する突然変異画像生成部と、前記交差画像生成部と前記突然変異画像生成部に、前記維持色要素情報記憶部が記憶する維持色要素情報を維持しつつ、新たな前記候補画像を生成させる色要素情報維持部とを備える。【選択図】図２
2009294917.tif 000002
【特許請求の範囲】
【請求項１】
配色が異なる複数の候補画像を生成し、該候補画像を利用者に指定させることによって画像の配色を決定する配色支援装置において、
前記候補画像の色要素の一部である維持色要素について、前記利用者に決定させた色情報である維持色要素情報を記憶する維持色要素情報記憶部と、
前記候補画像のうち、一部の画像を前記利用者に選択させる画像選択部と、
前記画像選択部で選択された一部の画像の色情報を組み合わせ、該組み合わせた色情報の新たな前記候補画像を生成する交差画像生成部と、
前記画像選択部で選択された一部の画像の色情報を変更し、該変更した色情報の新たな前記候補画像を生成する突然変異画像生成部と、
前記交差画像生成部と前記突然変異画像生成部に、前記維持色要素情報記憶部が記憶する維持色要素情報を維持しつつ、新たな前記候補画像を生成させる色要素情報維持部と
を備えることを特徴とする配色支援装置。
【請求項２】
少なくとも前記維持色要素の色情報が異なる画像を含む複数の基本画像のうち、一部の画像を前記利用者に選択させる基本画像選択部と、
前記基本画像選択部で選択された一部の画像の色情報を組み合わせ、該組み合わせた色情報の新たな前記基本画像を生成する交差基本画像生成部と、
前記基本画像選択部で選択された一部の画像の色情報を変更し、該変更した色情報の新たな前記候補画像を生成する突然変異基本画像生成部と、
前記基本画像のうち、前記利用者に指定させた画像の維持色要素の色情報を、前記利用者に決定させた維持色要素情報として、前記維持色要素情報記憶部に記憶させる基本画像指定部と
を備えることを特徴とする請求項１に記載の配色支援装置。
【請求項３】
予め選択した独立性の高い色の色情報を、利用色情報として記憶する利用色情報記憶部
を備え、
前記基本候補画像の色情報は、前記利用色情報記憶部が記憶する利用色情報から選択された色情報である
ことを特徴とする請求項２に記載の配色支援装置。
【請求項４】
前記維持色要素は、色の明るさを示す色要素である
ことを特徴とする請求項１から請求項３のいずれかの項に記載の配色支援装置。
【請求項５】
色の明るさを示す色要素は、輝度又は明度を含む情報である
ことを特徴とする請求項４に記載の配色支援装置。
【請求項６】
前記交差画像生成部は、前記画像選択部で選択された候補画像の少なくとも一部の領域であって、配色を施す配色領域の色情報を、前記画像選択部で選択された他の候補画像の対応する配色領域の色情報に変更して新たな前記候補画像を生成する
ことを特徴とする請求項１から請求項５のいずれかの項に記載の配色支援装置。
【請求項７】
前記突然変異画像生成部は、前記画像選択部で選択された候補画像の配色領域各々の変更する色情報の一部又は全部を、該変更する色情報の一部又は全部の相互関係を維持しつつ変更して新たな前記候補画像を生成する
ことを特徴とする請求項１から請求項６のいずれかの項に記載の配色支援装置。
【請求項８】
予め選択した独立性の高い色の色情報を、利用色情報として記憶する利用色情報記憶部
を備え、
前記候補画像の色情報は、前記利用色情報記憶部が記憶する利用色情報から選択された色情報である
ことを特徴とする請求項１から請求項７のいずれかの項に記載の配色支援装置。
【請求項９】
前記色情報は、色の明暗や色調の段階的変化を示すグラデーション情報や、色の透過情報等の配色の効果に関する情報を含む
ことを特徴とする請求項１から請求項８のいずれかの項に記載の配色支援装置。
【請求項１０】
配色の異なる複数の候補画像を生成し、該候補画像を利用者に指定させることによって画像の配色を決定する配色支援装置における配色支援方法において、
配色支援装置が、前記候補画像のうち、一部の画像を選択させる第１の過程と、
配色支援装置が、前記第１の過程にて選択された一部の画像の色情報を組み合わせ、該組み合わせた色情報の新たな前記候補画像を生成する第２の過程と、
配色支援装置が、前記第１の過程にて選択された一部の画像の色情報を変更し、該変更した色情報の新たな前記候補画像を生成する第３の過程と、
配色支援装置が、前記第２の過程と前記第３の過程にて、前記候補画像の色要素の一部について、前記利用者に決定させた色情報を維持しつつ、新たな前記候補画像を生成させる第４の過程と
を有することを特徴とする配色支援方法。
【請求項１１】
配色の異なる複数の候補画像を生成し、該候補画像を利用者に指定させることによって画像の配色を決定する配色支援装置のコンピュータを、
前記候補画像のうち、一部の画像を選択させる画像選択手段、
前記画像選択手段にて選択された一部の画像の色情報を組み合わせ、該組み合わせた色情報の新たな前記候補画像を生成する交差画像生成手段、
前記画像選択手段にて選択された一部の画像の色情報を変更し、該変更した色情報の新たな前記候補画像を生成する突然変異画像生成手段、
交差画像生成手段と突然変異画像生成手段にて、前記候補画像の色要素の一部について、前記利用者に決定させた色情報を維持しつつ、新たな前記候補画像を生成させる色要素情報維持手段
として機能させる配色支援プログラム。
【発明の詳細な説明】
【技術分野】
【０００１】
本発明は、配色支援装置、配色支援方法、及び配色支援プログラムに関する。
【背景技術】
【０００２】
近年、グラフィックツールの普及により、一般の人がパソコンを使ってウェブページ等の配色デザインを行うことが容易になってきている。しかし、一般の人の配色は先練されていない場合が多く、また、典型的な配色例を採用すると、デザインが画一的なものとなり、利用者の好みや個性を反映することができない。
そこで、特許文献１には、利用者の好みや個性を反映し得る配色方法が記載されている。また、非特許文献１では、利用者の好みや個性を反映する配色システムとして、対話型進化計算を用いてウェブページの配色デザインを行うシステムが提案されている。これは、遺伝的アルゴリズムに基づき作成された複数の画像から、利用者に好みの画像を選択させ、該選択された画像から遺伝的アルゴリズムに基づき複数の画像を作成し、さらに利用者に好みの画像を選択させることを繰り返すことにより、利用者の嗜好を考慮しながら最適な配色デザインを行うシステムである。
【特許文献１】特開２００４−２４６６４６号公報
【非特許文献１】賀川経夫、「ＩＥＣを利用した配色支援手法に関する一考察」、情報処理学会火の国情報シンポジウム２００４，Ａ−５−２、２００４年３月
【発明の開示】
【発明が解決しようとする課題】
【０００３】
しかし、従来の配色システムでは、制限の無い対話型進化計算により画像を作成するため、利用者が希望する配色がされた画像になかなか収束しないという問題がある。
【０００４】
本発明は上記の点に鑑みてなされたものであり、その目的は、早期に利用者が希望する配色がされた画像を提供する配色支援装置、配色支援方法、及び配色支援プログラムを提供することにある。
【課題を解決するための手段】
【０００５】
（１）本発明は上記の課題を解決するためになされたものであり、その一態様は、配色が異なる複数の候補画像を生成し、該候補画像を利用者に指定させることによって画像の配色を決定する配色支援装置において、前記候補画像の色要素の一部である維持色要素について、前記利用者に決定させた色情報である維持色要素情報を記憶する維持色要素情報記憶部と、  前記候補画像のうち、一部の画像を前記利用者に選択させる画像選択部と、前記画像選択部で選択された一部の画像の色情報を組み合わせ、該組み合わせた色情報の新たな前記候補画像を生成する交差画像生成部と、前記画像選択部で選択された一部の画像の色情報を変更し、該変更した色情報の新たな前記候補画像を生成する突然変異画像生成部と、前記交差画像生成部と前記突然変異画像生成部に、前記維持色要素情報記憶部が記憶する維持色要素情報を維持しつつ、新たな前記候補画像を生成させる色要素情報維持部とを備える。
上記構成によると、配色支援装置は、前記候補画像の維持色要素について、前記利用者に決定させた維持色要素情報を維持しつつ、前記画像生成部が前記画像選択部で利用者に選択された一部の画像の色情報を組み合わせ、又は、該色情報を変更して、新たな前記候補画像を生成するので、該維持した維持色要素情報が異なる前記候補画像が生成されず、早期に利用者が希望する配色がされた画像を提供することができる。
【０００６】
（２）また、本発明の一態様は、少なくとも前記維持色要素の色情報が異なる画像を含む複数の基本画像のうち、一部の画像を前記利用者に選択させる基本画像選択部と、前記基本画像選択部で選択された一部の画像の色情報を組み合わせ、該組み合わせた色情報の新たな前記基本画像を生成する交差基本画像生成部と、前記基本画像選択部で選択された一部の画像の色情報を変更し、該変更した色情報の新たな前記候補画像を生成する突然変異基本画像生成部と、前記基本画像のうち、前記利用者に指定させた画像の維持色要素の色情報を、前記利用者に決定させた維持色要素情報として、前記維持色要素情報記憶部に記憶させる基本画像指定部とを備える。
上記構成によると、配色支援装置は、前記基本画像生成部が前記基本画像選択部で利用者に選択させた一部の画像の色情報を組み合わせ、又は、該色情報を変更して、新たな前記基本画像を生成するので、利用者は、自己が選択した色情報に基づいて生成された基本画像から、基本画像を指定して維持色要素情報を決定することができ、早期に利用者が希望する維持色要素情報を決定することができる。
【０００７】
（３）また、本発明の一態様は、予め選択した独立性の高い色の色情報を、利用色情報として記憶する利用色情報記憶部を備え、前記基本候補画像の色情報は、前記利用色情報記憶部が記憶する利用色情報から選択された色情報である。
【０００８】
（４）また、本発明の一態様は、前記維持色要素は、色の明るさを示す色要素である。
上記構成によると、配色支援装置は、色の明るさを示す情報を維持するので、利用者が選択した、誘目性が高い部分は明るく、誘目性が低い部分は明るくない画像以外の候補画像が生成されず、早期に利用者が希望する配色がされた画像を提供することができる。
【０００９】
（５）また、本発明の一態様は、色の明るさを示す色要素は、輝度又は明度を含む情報である。
上記構成によると、配色支援装置は、輝度を維持するので、利用者が選択した、目立たせたい部分は明るく、目立たせたくない部分は暗くなっている画像以外の候補画像が生成されず、早期に利用者が希望する配色がされた画像を提供することができる。
【００１０】
（６）また、本発明の一態様は、前記交差画像生成部は、前記画像選択部で選択された候補画像の少なくとも一部の領域であって、配色を施す配色領域の色情報を、前記画像選択部で選択された他の候補画像の対応する配色領域の色情報に変更して新たな前記候補画像を生成する。
【００１１】
（７）また、前記突然変異画像生成部は、前記画像選択部で選択された候補画像の配色領域各々の変更する色情報の一部を、該変更する色情報の一部又は全部の相互関係を維持しつつ変更して新たな前記候補画像を生成する。
【００１２】
（８）また、本発明の一態様は、予め選択した独立性の高い色の色情報を、利用色情報として記憶する利用色情報記憶部を備え、前記候補画像の色情報は、前記利用色情報記憶部が記憶する利用色情報から選択された色情報である。
上記構成によると、配色支援装置は、前記候補画像の色情報が利用色情報から選択された色情報であるので、他の色情報の前記候補画像を生成せず、より、早期に利用者が希望する配色がされた画像を提供することができる。
また、配色支援装置は、前記候補画像の色情報が利用色情報から選択された色情報であるので、独立性の低い色情報の前記候補画像を生成せず、より、早期に利用者が希望する配色がされた画像を提供することができる。
【００１３】
（９）また、本発明の一態様は、前記色情報は、色の明暗や色調の段階的変化を示すグラデーション情報や、色の透過情報等の配色の効果に関する情報を含む。
【００１４】
（１０）また、本発明の一態様は、配色の異なる複数の候補画像を生成し、該候補画像を利用者に指定させることによって画像の配色を決定する配色支援装置における配色支援方法において、配色支援装置が、前記候補画像のうち、一部の画像を選択させる第１の過程と、配色支援装置が、前記第１の過程にて選択された一部の画像の色情報を組み合わせ、該組み合わせた色情報の新たな前記候補画像を生成する第２の過程と、配色支援装置が、前記第１の過程にて選択された一部の画像の色情報を変更し、該変更した色情報の新たな前記候補画像を生成する第３の過程と、配色支援装置が、前記第２の過程と前記第３の過程にて、前記候補画像の色要素の一部について、前記利用者に決定させた色情報を維持しつつ、新たな前記候補画像を生成させる第４の過程とを有する。
【００１５】
（１１）また、本発明の一態様は、配色の異なる複数の候補画像を生成し、該候補画像を利用者に指定させることによって画像の配色を決定する配色支援装置のコンピュータを、  前記候補画像のうち、一部の画像を選択させる画像選択手段、前記画像選択手段にて選択された一部の画像の色情報を組み合わせ、該組み合わせた色情報の新たな前記候補画像を生成する交差画像生成手段、前記画像選択手段にて選択された一部の画像の色情報を変更し、該変更した色情報の新たな前記候補画像を生成する突然変異画像生成手段、交差画像生成手段と突然変異画像生成手段にて、前記候補画像の色要素の一部について、前記利用者に決定させた色情報を維持しつつ、新たな前記候補画像を生成させる色要素情報維持手段として機能させる。
【発明の効果】
【００１６】
本発明によれば、配色支援装置は、候補画像の色要素の一部について、利用者に決定させた色情報を維持しつつ、利用者に選択された一部の画像の色情報を組み合わせ、又は、該色情報を変更して、新たな前記候補画像を生成するので、該維持した色情報の一部が異なる候補画像が生成されず、早期に利用者が希望する配色がされた画像を提供することができる。
【発明を実施するための最良の形態】
【００１７】
（第１の実施形態）
以下、図面を参照しながら本発明の第１の実施形態について説明する。
図１は、この発明の第１の実施形態による配色支援装置１０の候補画像指定・選択画面の一例を示す図である。
配色支援装置１０は、配色が異なる複数の候補画像を生成し、該候補画像を利用者に指定させることによって画像の配色を決定する。この図は、配色支援装置１０が表示部に表示させた９つの候補画像ａ１〜ａ９を表わしている。
なお、図１では、９つの候補画像ａ１〜ａ９の対応する各配色領域は、明るさを示す色要素の色情報が同じになる配色がされている。ここで、明るさを示す色要素において、明るい色は誘目性が高く、暗い（明るくない）色は誘目性が低い。
つまり、候補画像ａ１〜ａ９は、誘目性が高い部分、誘目性が低い部分が、同じ画像である。
【００１８】
配色支援装置１０の利用者は、候補画像指定・選択画面に表示された候補画像に、配色を決定する画像があれば、その画像を指定する。
一方、配色支援装置１０の利用者は、候補画像指定・選択画面に表示された候補画像に、配色を決定する画像がなければ、該候補画像のうち、好みの画像を選択する。配色支援装置１０は、選択された画像から、遺伝的アルゴリズム（ＧＡ：Ｇｅｎｅｔｉｃ  Ａｌｇｏｒｉｔｈｍ）に基づき、新たな候補画像を生成して候補画像指定・選択画面に表示する。
そして、配色支援装置１０の利用者は、同様の指定、又は選択をし、配色支援装置１０は、同様の候補画像の生成を繰り返す。このようにして、配色支援装置１０の利用者は、最終的に候補画像を指定して画像の配色でデザインを決定する。
【００１９】
ここで、本実施形態では、色をＨＬＳ（Ｈｕｅ  Ｌｕｍｉｎａｎｃｅ  Ｓａｔｕｒａｔｉｏｎ）色空間、つまり、色相と輝度と彩度と（色要素）を用いて表わす。
輝度は、色の明るさを表わし、ＨＬＳ色空間では、０％〜１００％の値をとる。輝度は、１００％に近づくほど白色に近づき、色が明るくなり、０％に近づくほど黒色に近づき、色が暗くなることを示す。一般に、ウェブ等のデザインにおいて、目立たせたい箇所は輝度を高く、目立たせたくない箇所は輝度を低く設定する場合が多い。
例えば、候補画像を生成する際に、輝度を維持することにより、基本画像の配色時に施された利用者が何を強調したいかという意図を維持することができ、利用者の好みや個性を反映することができる。
【００２０】
色相は、色の種類を表わし、ＨＬＳ色空間で角度と対応づけられた０〜３６０度の値をとる。色相のＨＬＳ空間での値０〜３６０度は、赤、青、黄色のような色に対応付けられている。なお、色相は、ＨＬＳ空間で角度を用いて表現される。
彩度は、色の鮮やかさを表わし、ＨＬＳ色空間で０％〜１００％の値をとる。彩度は、１００％に近づくほど色は鮮やかになり、０％に近づくほど色が鮮やかでなくなる（くすむ、ぼやける）ことを示す。
【００２１】
配色支援装置１０は、前記候補画像の色要素の一部である維持色要素について、前記利用者に決定させた色情報（以下、維持色要素情報という）を維持しつつ、新たな前記候補画像を生成する。
なお、本実施形態では、該維持色要素は、明るさを示す色要素として、輝度とする。しかし、本発明はこれに限らず、例えば、維持色要素は、輝度と彩度、輝度と色相、輝度と彩度と色相との組み合わせであってもよい。
また、ＨＬＳ色空間の輝度とＨＳＶ色空間の明度とは、その値を対応付けることができる。つまり、輝度を維持するということは、明度を維持することと同等である。
【００２２】
図２は、本実施形態による配色支援装置１０の構成を示す概略的構成図である。
図２において、配色支援装置１０は、利用色情報記憶部１００、基本画像入力部１０１、基本画像情報記憶部１０２、基本画像群維持部１０３、画像群生成部１０４、及び画像指定部１０５、画像選択部１０６を含んで構成される。
【００２３】
利用色情報記憶部１００は、色相、彩度、輝度について、予め選択した離散的な値を組み合わせた複数の独立性の高い色（以下、色パレットという）を記憶する。すなわち、利用色情報記憶部１００は、予め選択した独立性の高い色の情報を、利用色情報として記憶する。
【００２４】
例えば、色パレットの色相は、０度、３０度、４５度、６０度、６５度、９０度、１５０度、１８０度、２１０度、２７０度、２８５度、３３３度である。
なお、仮に、値（角度）の差が一定である色相を、色パレットの色情報として用いる色相として選択すると、青みがかった色が多くなる。そこで、色相には、区別しやすい色相、つまり、独立性が高い色の色相として、上記１２の色相が選択されている。
【００２５】
基本画像入力部１０１は、利用者により維持色要素情報が決定された基本画像（図３）を、配色支援装置１０に入力する。
ここで、基本画像入力部１０１が入力する基本画像は、例えば、ウェブページに配色を施した画像であり、予め配色支援装置１０の利用者が大まかな配色をした画像である。大まかな配色とは、例えば、目立たせたい部分の輝度を高く、目立たせたくない部分の輝度を低くして、輝度の強弱をつけた配色をいう。
【００２６】
例えば、基本画像入力部１０１は、これから配色すべき領域（配色領域）の集まりとしての図案を利用者に作成させ、該図案の各配色領域の色を、利用色情報記憶部１００が記憶する利用色情報の利用色から選択させることにより基本画像の画像データを作成し、これを、配色支援装置１０に入力する。
【００２７】
また、例えば、基本画像入力部１０１は、利用者が選択した現行の画像のデータを読込み、該画像に含まれる同一の色で配色された領域を検出する。基本画像入力部１０１は、該検出した領域を配色領域として、該領域の色情報を読み込むことにより、基本画像の画像データを入力してもよい。
【００２８】
基本画像情報記憶部１０２は、基本画像の画像データを記憶する。
具体的に、基本画像情報記憶部１０２は、基本画像の各配色領域の位置情報と、該配色領域の色情報（図４）とを記憶する。また、基本画像は複数あってもよい。
【００２９】
ここで、基本画像情報記憶部１０２が記憶する基本画像の維持色要素情報は、後述するように、生成された候補画像でも維持される。すなわち、維持色要素情報記憶部１０２１は、候補画像の維持色要素について、前記利用者に決定させた色情報を記憶する。
【００３０】
基本画像群維持部１０３は、基本画像の画像データのうち、各配色領域の位置情報と、該配色領域の維持色要素情報を維持しつつ、新たな前記候補画像を生成させる。
ここで、基本画像群維持部１０３は、交差画像生成部１０４２と突然変異画像生成部１０４３に、基本画像情報記憶部１０２が記憶する維持色要素情報を維持しつつ、新たな前記候補画像を生成させる。該交差画像生成部１０４２と突然変異画像生成部１０４３の生成処理の詳細については、後述する。
【００３１】
画像群生成部１０４は、まず、基本画像情報記憶部１０２が記憶する基本画像の維持色要素情報を維持しつつ、複数の初期候補画像を生成する。ここで、画像群生成部１０４は、基本画像の維持色要素（輝度）以外の利用色情報（色相と彩度）について、利用色情報記憶部１００が記憶する色パレットから、ランダムに選択した利用色情報の色相と彩度に変更して、初期候補画像を生成する。
なお、初期候補画像は、交差画像生成部１０４２と突然変異画像生成部１０４３とが基本画像から生成してもよい。また、複数の初期候補画像には、基本画像が含まれていてもよい。
【００３２】
画像群生成部１０４は、画像群記憶部１０４１、交差画像生成部１０４２、及び突然変異画像生成部１０４３を含んで構成される。
【００３３】
画像群記憶部１０４１は、後述する画像選択部１０６で選択された一部の画像の画像データを記憶する。なお、画像選択部１０６で選択された一部の画像の画像データは、候補画像の数Ｋ個以下であるＮ個の画像データである。
なお、Ｎ個は、繰り返し行われる画像選択部１０６での選択ごとに異なる値であってもよい。また、候補画像の数Ｋ個は、予め定めた値である。
【００３４】
また、画像群記憶部１０４１は、画像群生成部１０４が生成した初期候補画像の画像データを記憶する。画像群記憶部１０４１は、交差画像生成部１０４２と突然変異画像生成部１０４３とが生成した候補画像の画像データを記憶する。ここで、初期候補画像の画像データ、及び、交差画像生成部１０４２と突然変異画像生成部１０４３とが生成した候補画像の画像データは、Ｋ個の画像データである。
【００３５】
交差画像生成部１０４２と突然変異画像生成部１０４３とは、画像選択部１０６で選択されたＮ個の画像データから、Ｋ個の候補画像の画像データを生成する。
なお、交差画像生成部１０４２と突然変異画像生成部１０４３とが生成する画像の画像データには、画像選択部１０６で選択されたＮ個の画像データが含まれていてもよい。例えば、Ｋ＝９、Ｎ＝３である場合に、交差画像生成部１０４２が４つの画像データを生成し、突然変異画像生成部１０４３が２つの画像データを生成し、該生成した画像データと、画像選択部１０６で選択された３つの画像データを合わせて９つの候補画像の画像データとしてもよい。
【００３６】
交差画像生成部１０４２は、画像群記憶部１０４１が記憶する画像データの色情報を組み合わせ、該組み合わせた色情報の新たな候補画像を生成する。
例えば、交差画像生成部１０４２は、画像群記憶部１０４１が記憶する画像選択部１０６で選択された候補画像について、該画像の少なくとも一部の領域であって、配色を施す配色領域の色情報を、画像選択部１０６で選択された他の候補画像の対応する配色領域の色情報に変更して候補画像を生成する。
交差画像生成部１０４２が行う処理の詳細は、後述する。
【００３７】
突然変異画像生成部１０４３は、画像群記憶部１０４１が記憶する画像データの色情報を変更し、該変更した色情報の新たな候補画像を生成する。
具体的に、突然変異画像生成部１０４３は、画像群記憶部１０４１が記憶する画像選択部１０６で選択された候補画像の配色領域各々の変更する色情報の一部を、該変更する色情報の一部の相互関係を維持しつつ変更して候補画像を生成する。
突然変異画像生成部１０４３が行う処理の詳細は、後述する。
【００３８】
交差画像生成部１０４２の処理は、遺伝子アルゴリズムの交差に対応し、突然変異画像生成部１０４３の処理は、遺伝子アルゴリズムの突然変異に対応する。
また、配色支援装置１０は、画像選択部１０６で利用者に候補画像を選択させ、該選択された画像の一部（Ｎ個の画像）について、交差画像生成部１０４２の処理と突然変異画像生成部１０４３の処理とにより新たな候補画像（Ｋ個の画像）を生成し、また、画像選択部１０６で利用者に候補画像を選択させる、という処理を繰り返すことにより、対話型の遺伝子アルゴリズムに基づく配色支援を行う。
【００３９】
画像指定部１０５と画像選択部１０６は、表示ディスプレイ２０に、画像群生成部１０４が生成し、画像群記憶部１０４１に記憶させたＫ個の候補画像を表示させる（候補画像指定・選択画面、図１）。
利用者は、該表示された複数の候補画像に、配色を決定する候補画像があれば、入力デバイス２１を用いて、該候補画像を指定する。すなわち、画像指定部１０５は、画像群生成部１０４が生成した候補画像のうち、利用者が配色を決定する画像を、利用者に指定させる。
【００４０】
一方、利用者は、該表示された複数の候補画像に、配色を決定する画像がなければ、該複数の候補画像のうち一部の画像（Ｎ個の画像）を、入力デバイス２１を用いて選択する。すなわち、画像選択部１０６は、画像群生成部１０４が生成した候補画像のうち、一部の画像を利用者に選択させる。
画像選択部１０６が行う処理の詳細は、後述する。
また、画像選択部１０６は、利用者に選択させた一部の画像の画像データを画像群記憶部１０４１に記憶させる。
【００４１】
なお、利用色情報記憶部１００と基本画像情報記憶部１０２は、データを保持するものであり、磁気ハードディスク装置あるいは半導体メモリを用いて実現される。
また、基本画像入力部１０１、画像群生成部１０４、画像指定部１０５、及び画像選択部１０６は、配色支援装置１０が記録媒体の保持するプログラムを読み出し実行することにより、又は、電子回路により実現される。
【００４２】
以下、画像群生成部１０４と画像選択部１０６が行う処理について詳細を説明する。
まず、基本画像について説明をする。
図３は、本実施形態による基本画像の一例を示す図である。この図において、基本画像は、配色領域ａ１１１、ａ１２１、ａ１２２、ａ１３１〜ａ１３６、ａ１４１、及びａ１５１〜ａ１５３を含んでいる。
ここで、ａ１２１とａ１２２、ａ１３１〜ａ１３６、ａ１５１〜ａ１５３は、それぞれ、同一の色で配色するとする。
以下、基本画像及び候補画像において、ａ１１１に対応する配色領域を配色領域１、ａ１２１とａ１２２とに対応する配色領域を配色領域２といい、ａ１３１〜ａ１３６に対応する配色領域を配色領域３といい、ａ１４１に対応する配色領域を配色領域４、ａ１５１〜ａ１５３に対応する配色領域５という。
【００４３】
図４は、本実施形態による基本画像の画像データの一例を示す図である。ここで、基本画像は、画像ａ１（図１）であるとする。
【００４４】
本実施形態では、上述したように、基本画像に含まれる配色領域の色相は、予め定めた１２の色相であるとする。
図４では、１２の色相をそれぞれ０〜１１の値と対応づけて色相の値としている。例えば、色相の値「１」は、ＨＬＳ色空間の「６０」度と対応付けられ、黄色を示す。
【００４５】
例えば、図４では、「配色領域１」、つまり、図３の配色領域ａ１１１は、輝度が「２０」％、色相が「１」、つまり、色相が６０度、彩度が「１０」％であることを表わしている。
なお、ＨＬＳ色空間の値は、ＲＧＢ（Ｒｅｄ  Ｇｒｅｅｎ  Ｂｌｕｅ）、ＣＭＹＫ（Ｃｙａｎ  Ｍａｇｅｎｔａ  Ｙｅｌｌｏｗ  Ｋｅｙｔｏｎｅ）、ＨＳＶ（Ｈｕｅ  Ｌｕｍｉｎａｎｃｅ  Ｓａｔｕｒａｔｉｏｎ）の各色空間の値に変換することができる。
【００４６】
次に、画像選択部１０６が行う処理について説明をする。
画像選択部１０６は、表示ディスプレイ２０に、画像群生成部１０４が生成した候補画像（例えば、Ｋ＝９個の画像）を表示させる（候補画像指定・選択画面、図１）。
【００４７】
利用者は、該表示された候補画像に、配色を決定する候補画像があれば、入力デバイス２１を用いて候補画像を指定する。例えば、利用者は、図１において、画像ａ２の配色が気に入り、配色を画像ａ２に決定するときは、入力デバイス２１を用いて画像ａ２を指定する。
一方、利用者は、該表示された候補画像に、配色を決定する候補画像がなければ、該候補画像のうち一部の画像を、入力デバイス２１を用いて選択する。例えば、利用者は、図１において、配色を決定するまでには至らないが、画像ａ１と画像ａ２と画像ａ９が気に入ったときは、入力デバイス２１を用いて画像ａ１と画像ａ２と画像ａ９（Ｎ＝３個の画像）を選択する。
【００４８】
次に、交差画像生成部１０４２が行う交差処理について説明をする。
図５は、本実施形態による交差処理を説明するための図である。
この図において、画像ａ１、画像ａ２、画像ａ９は、画像選択部１０６で選択された画面とする。画像ｂ１と画像ｂ２は、交差処理が施されて生成される画像である。
なお、画像ａ１の配色領域ａ１３、画像ａ２の配色領域ａ２３、画像ａ９の配色領域ａ９３、画像ｂ１の配色領域ｂ１３、及び画像ｂ２の配色領域ｂ２３は、配色領域３である。画像ａ１の配色領域ａ１５、画像ａ２の配色領域ａ２５、画像ａ９の配色領域ａ９５、画像ｂ１の配色領域ｂ１５、及び画像ｂ２の配色領域ｂ２５は、配色領域５である。
【００４９】
また、本実施形態において交差処理とは、画像選択部１０６で選択された候補画像の少なくとも一部の領域であって、配色を施す配色領域の色情報を、画像選択部１０６で選択された他の候補画像の対応する配色領域の色情報に変更して新たな前記候補画像を生成することをいう。
なお、交差処理を施す画像、該画像と交差させる画像、及び該変更をする配色領域は、ランダムに選択するとする。
【００５０】
図５では、画像ｂ１は、交差画像生成部１０４２が、画像ａ１の配色領域３（ａ１３）の色を、画像ａ２の対応する配色領域３（ａ２３）の色に変更して生成した画像、つまり、交差処理により生成した画像であることを表わしている。
なお、本発明では、例えば、図５の画像ｂ２のように、交差画像生成部１０４２が、交差処理により生成した画像ｂ１の配色領域５（ｂ１５）の色を、画像ａ９の対応する配色領域５（ａ９５）の色に変更して生成し、交差処理により生成した画像としてもよい。
【００５１】
図６は、本実施形態による交差画像生成部１０４２が交差処理を施した画像の配色データの一例を示す図である。
ここで、図６は、画像ａ１に対し交差処理を施した画像ｂ２（図５）の配色データである。
図６と図４を比較すると、輝度の値は変わらず、配色領域３と配色領域５の色相と彩度が変更されている。つまり、基本画像群維持部１０３は、交差画像生成部１０４２に、基本画像情報記憶部１０１が記憶する維持色要素情報（輝度の情報）を維持しつつ、新たな候補画像を生成させている。
例えば、図６では、「配色領域３」、つまり、図５の配色領域ａ１３は、輝度が「８０」％、色相が「６」（例えば、色相が１８０度）、彩度が「６０」％であることを表わしている。
【００５２】
次に、突然変異画像生成部１０４３が行う突然変異処理について説明をする。
図７は、本実施形態による突然変異処理を説明するための図である。
この図において、画像ａ１は、画像選択部１０６で選択された画面とする。画像ｂ３は、画像ａ１に対し突然変異処理が施されて生成された画像である。
【００５３】
なお、本実施形態において突然変異処理とは、画像選択部１０６で選択された候補画像の配色領域各々の変更する色情報の一部又は全部を、該変更する色情報の一部又は全部の相互関係を維持しつつ変更して新たな候補画像を生成することをいう。
図７では、画像ｂ３は、画像ａ１の配色領域１〜配色領域５の色相の相互関係を維持しつつ変更した画像である。つまり、画像ａ１の配色領域ａ１１〜配色領域ａ１５の色相の相互関係と、画像ｂ３の配色領域ｂ３１〜配色領域ｂ３５の色相の相互関係は同じである。
具体的に、突然変異画像生成部１０４３は、式（１）にて表される色相を、式（２）のように変換する。
【００５４】
【数１】
2009294917.tif 000003
【００５５】
【数２】
2009294917.tif 000004
【００５６】
ここで、ｋは配色領域（配色領域１〜配色領域５）を示す。また、Ｃ（ｋ）は、配色領域ｋのＨＬＳ空間の色相を示し、ｎは、予め定めた利用色の１２の色相に対応する値（０〜１１）を示す。
また、式（２）は、Ｃ（ｋ）について、Ｃ（ｋ）＋ｍを１２で割った余りに変換することを意味する。なお、ｍは、すべてのｋに共通の値である。
なお、突然変異画像生成部１０４３は、彩度について、利用色情報記憶部１００に記憶されている色パレットの彩度をランダムに選択して変更する。
【００５７】
本実施形態では、突然変異処理について、色相を予め定めた１２の色相として値の差を維持しつつ配色を変更しているが、本発明はこれに限らず、例えば、各配色領域のＨＬＳ空間での値（０〜３６０度）の差、つまり、角度差を維持しつつ配色を変更してもよい。
この場合、画像群生成部１０４は、色相を式（３）のように変換する。
【００５８】
【数３】
2009294917.tif 000005
【００５９】
ここで、ｋは配色領域（配色領域１〜配色領域５）を示す。また、Ａ（ｋ）は、配色領域ｋのＨＬＳ空間の色相の値（角度）を示し、φは、ＨＬＳ空間の色相の任意の角度である。また、式（３）は、Ａ（ｋ）について、Ａ（ｋ）＋φを３６０で割った余りに変換することを意味する。
【００６０】
図８は、本実施形態による突然変異画像生成部１０４３が突然変異処理を施した画像の配色データの一例を示す図である。
ここで、図８は、画像ａ１に対し交差処理を施した画像ｂ３（図７）の配色データである。
図８と図４を比較すると、輝度の値は変わらず、色相は各配色領域との値の差を維持しつつ、変更されている。つまり、基本画像群維持部１０３は、突然変異画像生成部１０４３に、基本画像情報記憶部１０２が記憶する維持色要素情報（輝度の情報）を維持しつつ、新たな候補画像を生成させている。
例えば、図８では、「配色領域３」、つまり、図７の配色領域ｂ３３は、輝度が「８０」％、色相が「５」（例えば、色相が１５０度）、彩度が「６０」％であることを表わしている。
【００６１】
図９は、本実施形態による動作を示すフロー図である。
利用者は、画像に配色をして基本画像を作成する（Ｓ１０１）。
基本画像情報記憶部１０２は、基本画像の画像データを記憶する（Ｓ１０２）。
画像群生成部１０４は、基本画像の維持色要素情報（輝度の情報）を維持しつつ、初期候補画像を生成する（Ｓ１０３）。
【００６２】
画像指定部１０５と画像選択部１０６は、表示ディスプレイ２０に、画像群生成部１０４が生成した候補画像を表示させる（Ｓ１０４）。
画像指定部１０５は、配色を決定する候補画像が指定されたか否かを判断する（Ｓ１０５）。
Ｓ１０５で配色を決定する候補画像が指定された場合、画像指定部１０５は、該指定された候補画像の配色で配色を決定する（Ｓ１０９）。
【００６３】
一方、Ｓ１０５で配色を決定する候補画像が指定されない場合、画像選択部１０６は、候補画像のうち一部の画像を選択させる（Ｓ１０６）。
次に、交差画像生成部１０４２は、画像選択部１０６で選択された一部の画像に、交差処理を施し、新たな候補画像を生成する（Ｓ１０７）。
次に、突然変異画像生成部１０４３は、画像選択部１０６で選択された一部の画像に、突然変異処理を施し、新たな候補画像を生成する（Ｓ１０８）。
次に、配色支援装置１０は、Ｓ１０４の処理に進む。
【００６４】
以上のように、配色支援装置１０は、画像選択部１０６による選択処理、交差画像生成部１０４２と突然変異画像生成部１０４３による交差処理と突然変異処理を繰り返す、つまり、対話型進化計算により、配色デザインを支援する。
【００６５】
このように、本実施形態によれば、配色支援装置１０は、候補画像の色要素の一部（輝度）について、利用者に決定させた維持色要素情報を維持しつつ、利用者に選択された一部の画像の色情報を組み合わせ、又は、該色情報を変更して、新たな候補画像を生成する。
これにより、利用者が目立たせたい部分は高く、目立たせたくない部分は低くなっている輝度が基本画像と異なる候補画像が生成されず、利用者が希望する配色となる確率が高くなるので、対話型計算における繰り返し回数を抑制し、早期に利用者が希望する配色がされた画像を提供することができる。
【００６６】
なお、デザインの分野では、色覚障害者が表示を識別しやすいように、輝度（明度）差を持たせた色使いが推奨されている。例えば、Ｗ３Ｃ（Ｗｏｒｌｄ Ｗｉｄｅ Ｗｅｂ Ｃｏｎｓｏｒｔｉｕｍ）は、前景色と背景色との輝度差を一定以上とするガイドラインを設けている。
本実施形態によれば、配色支援装置１０は、利用者に決定させた輝度の色情報を維持しつつ、候補画像を生成するので、輝度の差を維持したままの画像を提供することができる。
【００６７】
また、配色支援装置１０は、候補画像の色情報が利用色情報から選択された色情報であるので、他の色情報の候補画像を生成せず、より、早期に利用者が希望する配色がされた画像を提供することができる。さらに、配色支援装置１０は、候補画像の色情報が利用色情報から選択された色情報であるので、独立性の低い色情報の候補画像を生成せず、より、早期に利用者が希望する配色がされた画像を提供することができる。
【００６８】
（第２の実施形態）
以下、図面を参照しながら本発明の第２の実施形態について説明する。
第１の実施形態において、配色支援装置１０の基本画像入力部１０１は、利用者により維持色要素の色情報が決定された基本画像を、配色支援装置１０に入力した。本実施形態の配色支援装置３０では、遺伝子アルゴリズムにより、基本画像の候補を生成し、該生成した基本画像を利用者に指定させることにより、基本画像を決定する。
【００６９】
図１０は、この発明の第２の実施形態による配色支援装置３０の構成を示す概略的構成図である。
本実施形態では、配色支援装置３０は、初期画像入力部３０１、基本画像群生成部３０２、基本画像指定部３０３、及び基本画像選択部３０４で、利用者に基本画像を決定させることにより、画像の輝度の最適化を行う。
また、配色支援装置３０は、輝度が最適化された基本画像情報を記憶部１０２に記憶させ、該基本画像の輝度情報を維持しつつ、基本画像群維持部１０３、画像群生成部１０４、画像指定部１０５、及び基本画像選択部１０６で、利用者に候補画像を決定させることにより、画像の彩度及び色相の最適化を行う。
【００７０】
本実施形態による配色支援装置３０（図１０）と、第１の実施形態による配色支援装置１０（図２）を比較すると、初期画像入力部３０１、基本画像群生成部３０２、基本画像指定部３０３、及び基本画像選択部３０４が異なる。しかし、他の構成要素（利用色情報記憶部１００、基本画像情報記憶部１０２、基本画像群維持部１０３、画像群生成部１０４、画像指定部１０５、及び画像選択部１０６）が持つ機能は第１の実施形態と同じであるので、第１の実施形態と同じ機能の説明は省略する。
【００７１】
初期画像入力部３０１は、初期画像を配色支援装置３０に入力する。
ここで、初期画像は、利用者が配色支援装置３０を用いて配色を行う画像であり、少なくとも画像の各配色領域の位置情報が特定できる画像である。
例えば、初期画像入力部３０１は、利用者が選択した現行の画像のデータを読込み、該画像に含まれる同一の色で配色された領域である配色領域を検出する。また、初期画像入力部３０１は、配色領域の色情報を検出し、利用色情報記憶部１００が記憶する利用色情報のうち、最も近い値である利用色情報を、該検出した配色領域の色情報と検出する。
例えば、初期画像入力部３０１は、検出した配色領域の色相が５６度である場合、色相の利用色情報のうち、最も近い値である６０度（「１」）と検出する。
【００７２】
基本画像群生成部３０２は、基本画像群記憶部３０２１、交差基本画像生成部３０２２、及び突然変異基本画像生成部３０２３を含んで構成される。
基本画像群記憶部３０２１は、初期画像の画像データを記憶する。
具体的に、基本画像群記憶部３０２１は、初期画像入力部３０１が検出した初期画像の配色領域の位置情報と、該配色領域の色情報（図４参照）とを記憶する。
【００７３】
また、基本画像群記憶部３０２１は、後述する基本画像選択部３０４で選択された一部の画像の画像データを記憶する。なお、基本画像選択部３０４で選択された一部の画像の画像データは、候補画像の数Ｌ個以下であるＭ個の画像データである。
なお、Ｍ個は、繰り返し行われる基本画像選択部３０４での選択ごとに異なる値であってもよい。また、候補画像の数Ｌ個は、予め定めた値である。
【００７４】
また、基本画像群記憶部３０２１は、交差基本画像生成部３０２２と突然変異基本画像生成部３０２３とが生成した基本画像の画像データを記憶する。交差基本画像生成部３０２２と突然変異基本画像生成部３０２３とが生成した候補画像の画像データは、Ｌ個の画像データである。
【００７５】
交差基本画像生成部３０２２と突然変異基本画像生成部３０２３とは、基本画像群記憶部３０２１が記憶する初期画像データから、Ｌ個の候補画像の画像データを生成する。
交差基本画像生成部３０２２と突然変異基本画像生成部３０２３とは、基本画像群記憶部３０２１が記憶する基本画像選択部３０４で選択されたＭ個の画像データから、Ｌ個の候補画像の画像データを生成する。なお、交差基本画像生成部３０２２と突然変異基本画像生成部３０２３とが生成する画像の画像データには、基本画像選択部３０４で選択されたＭ個の画像データが含まれていてもよい。
【００７６】
交差基本画像生成部３０２２は、基本画像群記憶部３０２１が記憶する画像の色情報を組み合わせ、該組み合わせた色情報の新たな基本画像を生成する。
交差基本画像生成部３０２２が持つ機能は、交差画像生成部１０４２が持つ機能と同じである。すなわち、交差基本画像生成部３０２２は、基本画像選択部３０４で選択された一部の画像の色情報を組み合わせ、該組み合わせた色情報の新たな基本画像を生成する。
【００７７】
突然変異基本画像生成部３０２３は、基本画像群記憶部３０２１が記憶する画像の色情報を変更し、該変更した色情報の新たな基本画像を生成する。
すなわち、突然変異基本画像生成部３０２３は、基本画像選択部３０４で選択された一部の画像の色情報を変更し、該変更した色情報の新たな前記候補画像を生成する。
ここで、突然変異基本画像生成部３０２３は、利用色情報記憶部１００に記憶されている色パレットの利用色情報をランダムに選択して基本画像を生成する。
【００７８】
基本画像指定部３０３と基本画像選択部３０４は、表示ディスプレイ２０に、基本画像群生成部３０２が生成し、基本画像群記憶部３０２１に記憶させたＬ個の基本画像を表示させる（図１参考）。
利用者は、該表示された複数の基本画像に、維持色要素情報（輝度の情報）を決定する基本画像があれば、入力デバイス２１を用いて、該基本画像を指定する。例えば、利用者は、利用者が目立たせたい部分の輝度が高く、目立たせたくない部分の輝度が低い、輝度の強弱がついた画像を指定する。
【００７９】
基本画像指定部３０３は、該指定された基本画像の画像データを基本画像情報記憶部１０２に記憶させる。ここで、基本画像指定部３０３は、基本画像の維持色要素情報を、維持色要素情報記憶部１０２１に記憶させる。すなわち、基本画像指定部３０３は、基本画像のうち、利用者に指定させた画像の固定色素の色情報を、利用者に決定させた維持色要素情報として、維持色要素情報記憶部１０２１に記憶させる。
【００８０】
一方、利用者は、該表示された複数の基本画像に、維持色要素情報を決定する基本画像がなければ、該複数の基本画像のうち一部の画像（Ｍ個の画像）を、入力デバイス２１を用いて選択する。
基本画像選択部３０４は、該選択された一部の画像を基本画像群記憶部３０２１に記憶させる。
【００８１】
図１１は、本実施形態による動作を示すフロー図である。
本実施形態のフロー図（図１１）と、第１の実施形態のフロー図（図９）とを比較すると、Ｓ２０１〜Ｓ２０８が異なる。しかし、他の動作（Ｓ１０２〜Ｓ１０９）の動作は第１の実施形態と同じであるので、第１の実施形態と同じ動作の説明は省略する。
【００８２】
初期画像入力部３０１は、初期画像を読み込む（Ｓ２０１）。
基本画像群生成部３０２の突然変異基本画像生成部３０２２と交差基本画像生成部３０２２とは、初期画像から、初期候補となる基本画像を生成する（Ｓ２０２）。
基本画像指定部３０３と基本画像選択部３０４は、表示ディスプレイ２０に、基本画像群生成部３０２が生成した基本画像を表示させる（Ｓ２０３）。
【００８３】
基本画像指定部３０３は、配色を決定する基本画像が指定されたか否かを判断する（Ｓ２０４）。
Ｓ２０４で配色を決定する基本画像が指定された場合、基本画像指定部３０３は、該指定された基本画像を、基本画像として決定する（Ｓ２０５）。
【００８４】
一方、Ｓ２０５で配色を決定する基本画像が指定されない場合、基本画像選択部３０４は、基本画像のうち一部の画像を選択させる（Ｓ２０６）。
次に、交差基本画像生成部３０２２は、基本画像選択部３０４で選択された一部の画像に、交差処理を施し、新たな基本画像を生成する（Ｓ２０７）。
次に、突然変異基本画像生成部３０２３は、基本画像選択部３０４で選択された一部の画像に、突然変異処理を施し、新たな基本画像を生成する（Ｓ２０８）。
次に、配色支援装置１０は、Ｓ２０３の処理に進む。
【００８５】
このように、本実施形態によれば、配色支援装置１０は、基本画像生成部３０２が基本画像選択部３０４で利用者に選択させた一部の画像の色情報を組み合わせ、又は、該色情報を変更して、新たな基本画像を生成する。
これにより、自己が選択した色情報に基づいて生成された基本画像から、基本画像を指定して維持色要素情報を決定することができ、早期に利用者が希望する維持色要素情報を決定することができる。
【００８６】
なお、上述した実施形態において、ＨＬＳ空間を用いて色情報を表わしているが、本発明はこれに限らず、ＨＳＶ空間でもよい。
また、色情報は、色の明暗や色調の段階的変化を示すグラデーション情報や、色の透過情報等の配色の効果に関する情報であってもよい。
【００８７】
なお、上述した実施形態における配色支援装置１０の一部、例えば、基本画像群維持部１０３、画像群生成部１０４、交差画像生成部１０４２、突然変異画像生成部１０４３、画像指定部１０５、画像選択部１０６、基本画像群生成部３０２、交差基本画像生成部３０２２、突然変異基本画像生成部３０２３、基本画像指定部３０３、及び基本画像選択部３０４をコンピュータで実現するようにしても良い。その場合、この制御機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時刻プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【００８８】
以上、図面を参照してこの発明の一実施形態について詳しく説明してきたが、具体的な構成は上述のものに限られることはなく、この発明の要旨を逸脱しない範囲内において様々な設計変更等をすることが可能である。
【図面の簡単な説明】
【００８９】
【図１】この発明の第１の実施形態による配色支援装置の候補画像指定・選択画面の一例を示す図である。
【図２】本実施形態による配色支援装置の構成を示す概略的構成図である。
【図３】本実施形態による基本画像の一例を示す図である。
【図４】本実施形態による基本画像の画像データの一例を示す図である。
【図５】本実施形態による交差処理を説明するための図である。
【図６】本実施形態による交差処理を施した画像の配色データの一例を示す図である。
【図７】本実施形態による突然変異処理を説明するための図である。
【図８】本実施形態による突然変異処理を施した画像の配色データの一例を示す図である。
【図９】本実施形態による動作を示すフロー図である。
【図１０】この発明の第２の実施形態による配色支援装置の構成を示す概略的構成図である。
【図１１】本実施形態による動作を示すフロー図である。
【符号の説明】
【００９０】
１０，３０・・・配色支援装置、２０・・・表示ディスプレイ、２１・・・入力デバイス、
１００・・・利用色情報記憶部、１０１・・・基本画像入力部、１０２・・・基本画像情報記憶部、１０２１・・・維持色要素情報記憶部、１０３・・・基本画像群維持部、１０３１・・・色要素情報維持部、１０４・・・画像群生成部、１０４１・・・画像群記憶部、１０４２・・・交差画像生成部、１０４３・・・突然変異画像生成部、１０５・・・画像指定部、１０６・・・画像選択部
３０１・・・初期画像入力部、３０２・・・基本画像群生成部、３０２１・・・基本画像群記憶部、３０２２・・・交差基本画像生成部、３０２３・・・突然変異基本画像生成部、３０３・・・基本画像指定部、３０4・・・基本画像選択部
【図１】
2009294917.tif 000006
【図２】
2009294917.tif 000007
【図３】
2009294917.tif 000008
【図４】
2009294917.tif 000009
【図５】
2009294917.tif 000010
【図６】
2009294917.tif 000011
【図７】
2009294917.tif 000012
【図８】
2009294917.tif 000013
【図９】
2009294917.tif 000014
【図１０】
2009294917.tif 000015
【図１１】
2009294917.tif 000016